(57)【特許請求の範囲】
【請求項１】
タッチペン入力が可能な表示画面を備え、電源投入直後にタッチペンにより操作する初期入力画面が前記表示画面に表示される情報表示装置において、
前記表示画面を取り囲む枠体又は筐体の所定箇所に、電源スイッチおよびタッチペンを収納するためのタッチペンホルダーを互いに隣接して設け、前記タッチペンホルダーにタッチペンが挿入されている状態又はタッチペンがホルダーから抜かれて所定時間以内に前記電源スイッチが投入された場合、前記初期入力画面が表示画面の前記タッチペンホルダーおよび前記電源スイッチの設置箇所の近傍の位置に表示されることを特徴とする情報表示装置。
【請求項２】
前記ペンホルダーおよび前記電源スイッチの設置箇所が、前記表示画面を取り囲む下部枠体の前面端部であることを特徴とする請求項１に記載の情報表示装置。
【請求項３】
前記ペンホルダーおよび前記電源スイッチの設置箇所が、前記表示画面を取り囲む下部枠体の前面中央部であることを特徴とする請求項１に記載の情報表示装置。
【請求項４】
前記ペンホルダーおよび前記電源スイッチの設置箇所が、前記表示画面を取り囲む側部枠体の下部であることを特徴とする請求項１に記載の情報表示装置。
【請求項５】
前記ペンホルダーおよび前記電源スイッチの設置箇所が、前記表示画面を取り囲む筐体側部であることを特徴とする請求項１に記載の情報表示装置。
【発明の詳細な説明】
【技術分野】
【０００１】
本発明は、プレゼンテーション等に利用されるタッチペン入力装置を備えた大型の情報表示装置に関する。
【背景技術】
【０００２】
近年、液晶ディスプレイ（Liquid Crystal Display）、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）等のタッチペン入力装置を備えた情報表示装置がプレゼンテーションに多用されるようになった。このような情報表示装置として、タッチペン先の位置近傍に編集メニューをポップアップ表示させるようにしたものが特許文献１に開示されている。
【特許文献１】特開平６−２８９９８４号公報
【発明の開示】
【発明が解決しようとする課題】
【０００３】
情報表示装置の大型化に伴い、電源を投入してから表示画面をタッチペンで入力操作する場合、電源スイッチとタッチペン（ホルダーに保管）が遠い位置にあったり、初期入力画面がタッチペンより遠い位置に表示されたりすると、操作者は大型ディスプレイの前を行ったり来たりする必要があり、非常に煩わしく、面倒であり、時間的ロスが大きいという問題が生じている。
【０００４】
本発明は、上記の問題に鑑み、操作者に無駄な動きをさせず、電源スイッチ投入からタッチペンによるタッチパネルの初期画面の入力操作までを容易に迅速に行うことができる情報表示装置を提供することを目的としたものである。
【課題を解決するための手段】
【０００５】
上記課題を解決するために、本発明の第１の技術手段は、タッチペン入力が可能な表示画面を備え、電源投入直後にタッチペンにより操作する初期入力画面が前記表示画面に表示される情報表示装置において、前記表示画面を取り囲む枠体又は筐体の所定箇所に、電源スイッチおよびタッチペンを収納するためのタッチペンホルダーを互いに隣接して設け、前記タッチペンホルダーにタッチペンが挿入されている状態又はタッチペンがホルダーから抜かれて所定時間以内に前記電源スイッチが投入された場合、前記初期入力画面が表示画面の前記タッチペンホルダーおよび前記電源スイッチの設置箇所の近傍の位置に表示されることを特徴としたものである。
【０００６】
第２の技術手段は、第１の技術手段において、前記ペンホルダーおよび前記電源スイッチの設置箇所が、前記表示画面を取り囲む下部枠体の前面端部であることを特徴としたものである。
【０００７】
第３の技術手段は、第１の技術手段において、前記ペンホルダーおよび前記電源スイッチの設置箇所が、前記表示画面を取り囲む下部枠体の前面中央部であることを特徴としたものである。
【０００８】
第４の技術手段は、第１の技術手段において、前記ペンホルダーおよび前記電源スイッチの設置箇所が、前記表示画面を取り囲む側部枠体の下部であることを特徴としたものである。
【０００９】
第５の技術手段は、第１の技術手段において、前記ペンホルダーおよび前記電源スイッチの設置箇所が、前記表示画面を取り囲む筐体側部であることを特徴としたものである。
【発明の効果】
【００１０】
本発明によれば、電源スイッチの投入からタッチペンによる初期入力画面の入力操作までをスムースに行うことができ、操作者に無駄な動きをさせることなく、速やかにプレゼンテーションを開始することが可能になる。
【発明を実施するための最良の形態】
【００１１】
図１及び図２は、それぞれ、本発明が適用される情報表示装置を備えた情報処理表示装置の全体構成を示す外観斜視図で、図中、１０は表示部１１及びタッチパネル部１２からなる情報表示装置、２０は該情報表示装置１０を支持する台座、３０はプリンタ、４０はスキャナで、台座２０は基台２１と該基台２１の両側に立設された支柱２２，２２よりなり、該支柱２２，２２の上部に情報表示装置１０が取り付けられており、基台２１の座部に設けられた基台キャスタ２３により全体が移動可能になっている。
【００１２】
なお、図２に示した例では、プリンタ３０及びスキャナ装置４０は取り外して示してあるが、基台２１の中央部２４が前後にスライド可能になっており、このスライド可能な中央部（スライド部）２４にプリンタ３０及びコントローラ５０（図４参照）が搭載されるようになっている。この基台２１のスライド部２４の下部にはキャスタ２５が設けられており、該スライド部２４の引き出し及び収納を容易にするとともに、引き出した時に、該キャスタ２５をも利用して情報表示装置を安定に支持するようにし、該情報表示装置の転倒防止の役目をも果たしている。また、支柱２２，２２にはスキャナ装置４０を出し入れ可能に装着するためのレール２２ａが設けられている。
【００１３】
図３は、図２に示した台座２０の動作説明をするための要部構成図で、図３（Ａ）はスライド部２４が所定位置に収納されている状態を示し、図３（Ｂ）はスライド部２４が前方に引き出された時の状態を示す。図３において、２６はスライド部２４を収納時及び引き出し時に基台２１に固定しておくための金具で、該金具２６は一端が基台２１に固定されており、他端がスライド部２４の上方に延長している。スライド部２４の上部には、該スライド部２４を収納位置（図３（Ａ））に固定するための止め穴２１ａ1と引き出し位置（図３（Ｂ））に固定するための止め穴２１ａ2とが設けられており、収納時は、図３（Ａ）に示すように、スライド部２４を押し戻して基台２１に収納した状態で、止めピン２７を止め金具２６に設けられた穴を通してスライド部２４の上部に設けられた止め穴２４ａ1に差し込むことで、スライド部２４を、図３（Ａ）に示す収納状態に固定する。引き出し時は、図３（Ａ）に示した状態で、止めピン２７を引き抜き、次いで、解除レバー２８を押し上げてスライド部２４を前方に引き出し、その引き出した状態で、止めピン２７を止め金具２６に設けられた穴を通して止め穴２４ａ2に差し込むことで、スライド部２４を図３（Ｂ）に示した状態に固定することができる。
【００１４】
図４は、前記スライド部２４を収納した状態（図４（Ａ））、及び、引き出した状態（図４（Ｂ））を示す側面図で、図４（Ｂ）に示すように、スライド部２４を引き出した状態では、該スライド部２４上に搭載されたプリンタ３０が基台２１より前方に引き出され、この状態で、カバー３１を開けて現像剤カートリッジＣの交換を行う等のメンテナンスを行うことができる。また、スキャナ装置４０にジャムが発生したような場合、スライド部２４を前方に引き出した状態で、スキャナ装置４０を前方に引き出し、その状態で、自動原稿送り装置を内蔵している上部ユニットを開いてシート搬送路の一部を開放し、ジャムった原稿を取り除く等する。
【００１５】
上記のように、スライド部２４を前方に引き出すことにより、該スライド部２４上に搭載されているプリンタのジャム処理やメンテナンスを容易にし、かつ、該スライド部２４の下部前方にキャスタ２５を設けておくことにより、該スライド部２４を引き出した時、或いは、スキャナ装置４０を前方に引き出した時など、該キャスタ２５が支えになり、装置全体の荷重バランスを安定化するとともに、装置が前方に倒れる危険性を減らすことができる。
【００１６】
スライド部（転倒防止脚）２４下部に設けられたキャスタ２５は、収納時は、基台キャスタ２３より若干上方に位置し、床面に接していないが、引き出し時には、基台キャスタ２３と同じ高さに位置し、床面に接触する。キャスタ２５が常に床面に接触した状態であると、表示装置全体の重量が該キャスタ２５にも加わり、表示装置全体のスライド移動に人力を要するが、このように、収納時、スライド部２４のキャスタ２５を床面に接触しないようにしておくことにより、表示装置スライド移動中の荷重を避け、軽く移動させることができる。
【００１７】
図５は、スライド部２４のキャスタ２５を、前述のように、収納時（図５（Ａ））は、基台２１の基台キャスタ２３より上方向に位置させ（床面Ｇより上方向に位置させ）、引き出し時（図５（Ｃ））は、床面Ｇに接するようにするための一構成例を示す要部構成図で、図示のように、スライド部２４を案内するレール２１ａ（基台２１側に設けられている）を、前下りに傾斜して設けておき、スライド部２４を該レール２１ａに沿って前後に移動可能にしたもので、図示例の場合、スライドを容易にするために、スライド部２４側にコロ２４ｂを設け、該コロ２４ｂを介してレール２１ａ上をスライドするようにしている。なお、図５（Ｂ）は、スライド部２４の収納状態（図５（Ａ））と引き出し状態（図５（Ｃ））の間の引き出し途中の状態を示している。
【００１８】
図６は、図３に示した解除レバー２８の内部機構を説明するための要部構成図で、図６（Ａ）はロック状態を、図６（Ｂ）はアンロック（解除）状態を示す。解除レバー２８は支持ピン２８ａによってスライド部２４に回動自在に取り付けられており、常時は、先端係合部２８’を引っ張りばね２８ｂにより、上方に持ち上げられ、レール２１ａに設けられたノッチ２１ｂに係合し、これによって、スライド部２４は、基台２１にロックされる。このロックを解除するには、解除レバー２８の前端把持部２８”を上方に持ち上げると、解除レバー２８の先端係合部２８’がレール２１ａのノッチ部（切り欠き部）２１ｂから離れてアンロックされ（図６（Ｂ））、スライド部２４を前方に引き出すことができる。
【００１９】
図７は、情報表示システムの動作説明をするための全体ブロック図で、情報表示装置１０は、前述のように表示部１１と、該表示部１１の前面に設けられたタッチパネル部１２からなり、タッチペンによるタッチ部分の座標を検出し、タッチ操作に基づいてさまざまな情報を表示することができる。情報表示装置１０には情報処理装置（ＰＣ）５０が接続され、表示部１１で表示するための情報を出力する。プリンタ３０は、表示情報を印字出力する装置であり、情報表示システムにおける電子機器に相当する。スキャナ装置４０は、シート（原稿）から読み取った情報を電子化するためのものであり、読み取ったデータを、情報処理装置（ＰＣ）５０を介して表示部１１に表示させることが可能であり、また、情報表示装置１０が画像処理機能を備えている場合には、スキャナ装置４０から情報表示装置１０に直接データを送ることもできる。
【００２０】
図８乃至図１３は、それぞれ本発明の実施例を説明するための要部構成図で、全図を通して、１４はペンホルダー、１５はタッチペン、１６は電源スイッチを示し、図８に示す実施例は、タッチペン１５を収納するペンホルダー１４および電源スイッチ１６を図示のように互いに隣接して情報表示装置１０の前面下側枠部１０ａの右端側に設け、電源スイッチ１６による電源投入直後に画面１３に表示される初期入力画面ａを、画面右下に表示するようにしたものである。
【００２１】
この実施形態の場合、プレゼンテーションを行う説明者は、情報表示装置１０の右側に立ち、電源スイッチ１６を押下して電源を投入すると画面右下に初期入力画面ａが表示されるので、その位置でペンホルダー１４からタッチペン１５を取り出し、初期入力画面ａに対し所望の操作を速やかに行うことができる。
【００２２】
図９は、ペンホルダー１４および電源スイッチ１６を情報表示装置１０の前面下側枠部１０ａ左端側に設け、これに合わせて初期入力画面ａを画面左下に表示するようにした例を示す。
【００２３】
図１０は、ペンホルダー１４および電源スイッチ１６を情報表示装置１０の前面下側枠部１０ａの中央部に設け、これに合わせて初期入力画面ａを画面の下側中央部に表示するようにした実施形態を示す。
この実施形態の場合、説明者が情報表示装置１０の中央に立ってプレゼンテーションする場合であっても、同様に電源投入後、初期入力画面ａに対し所望の操作を速やかに行うことができる。
【００２４】
図１１は、ペンホルダー１４および電源スイッチ１６を情報表示装置の前面下側枠部１０ａの右端部及び該端部に隣接する側枠部１０ｂの下部に設け、これに合わせて初期入力画面ａを画面右下隅に表示するようにした実施形態を示す。この場合も、ペンホルダー１４および電源スイッチ１６を左側下角部とし、初期入力画面ａを画面左下隅に表示するようにしてもよい。
【００２５】
図１２は、ペンホルダー１４および電源スイッチ１６を情報表示装置の筐体右側面部に設けるようにした実施形態を示し、これに合わせて初期入力画面ａを画面右端部に表示するようにした実施形態を示す。
【００２６】
図１３は、ペンホルダー１４および電源スイッチ１６を情報表示装置の左側部に設け、これに合わせて初期入力画面ａを画面左側端部に表示するようにした例を示す。
【００２７】
なお、上記した初期入力画面ａにおける“ホワイトボード”は、電子黒板の如く、白い画面中に自由にタッチペンで文字や図形を記入したり、スキャナから読み込んだ画像を表示させたり、編集合成したり出来る機能を利用する場合に選択する。また、“アプリケーション”は、Ｗｉｎｄｏｗｓ（登録商標）のＯＳを使わなくとも使用できるアプリケーションソフトを利用する場合に選択する。“メディア”は、ＩＣカードやＵＳＢメモリ等の記憶媒体に格納されている写真等の画像や音声を直接読み込んで利用する場合に選択するものであり、この場合もＷｉｎｄｏｗｓ（登録商標）のＯＳを使わなくとも使用できる。
【００２８】
また、タッチペンによる初期入力画面の表示については、タッチペンホルダーにタッチペンが挿入されているのを検出、又は、タッチペンがタッチペンホルダーから抜かれたのを検出してから所定時間（１〜３分）以内に電源が投入されたのを検出した場合は、電源スイッチとタッチペンホルダーの近傍にタッチペンによる初期入力画面を表示させるようにしても良い。
【図面の簡単な説明】
【００２９】
【図１】本発明が適用される情報表示装置を備えた情報表示システムの外観斜視図である。
【図２】本発明が適用される情報表示装置を備えた情報表示システムの他の例を示す外観斜視図である。
【図３】図２に示した情報表示装置の台座のスライド部を説明するための図である。
【図４】図２に示した情報表示システムを側面からみた状態を示す図である。
【図５】図２に示した情報表示システムにおけるスライド部の動作説明をするための要部構成図である。
【図６】図２に示したスライド分のロック機構を説明するための要部構成図である。
【図７】情報表示システムの構成ブロック図である。
【図８】本発明の実施形態を示す説明図である。
【図９】本発明の他の実施形態を示す説明図である。
【図１０】本発明の他の実施形態を示す説明図である。
【図１１】本発明の他の実施形態を示す説明図である。
【図１２】本発明の他の実施形態を示す説明図である。
【図１３】本発明の他の実施形態を示す説明図である。
【符号の説明】
【００３０】
１０…情報表示装置、１０ａ…前面下側枠部、１０ｂ…側枠部、１１…表示部、１２…タッチパネル部、１３…画面、１４…ペンホルダー、１５…タッチペン、１６…電源スイッチ、２０…台座、２１…基台、２１ａ…レール、２１ｂ…ノッチ、２２…支柱、２３…基台キャスタ、２４…スライド部（中央部）、２４ａ1…止め穴、２４ａ2…止め穴、２４ｂ…コロ、２５…キャスタ、２６…金具、２７…ピン、２８…解除レバー、２８’…先端係合部、２８”…前端把持部、２８ａ…支持ピン、３０…プリンタ、３１…カバー、４０…スキャナ装置、５０…コントローラ。
【図１】
0004831767.tif 000002
【図２】
0004831767.tif 000003
【図３】
0004831767.tif 000004
【図４】
0004831767.tif 000005
【図５】
0004831767.tif 000006
【図６】
0004831767.tif 000007
【図７】
0004831767.tif 000008
【図８】
0004831767.tif 000009
【図９】
0004831767.tif 000010
【図１０】
0004831767.tif 000011
【図１１】
0004831767.tif 000012
【図１２】
0004831767.tif 000013
【図１３】
0004831767.tif 000014